(57)【要約】  読取部（２）によって読み取られた被写体の読取情報の色域を設定する撮影時の色域設定入力部（５）と、上記読取情報を表示する表示部（３）の色域を設定する表示部の色域設定入力部（８）とを備えており、表示部（３）は、表示部（３）から出射される複数の異色の原色光の光量を調整することによって、色域を変えることができ、撮影時の色域設定入力部（５）においては、表示部（３）において表現できる色域の範囲内である色域が選択され、表示部の色域設定入力部（８）においては、撮影時の色域設定入力部（５）によって選択された上記色域が表示部（３）の色域として選択される。したがって、読取部（２）によって読み取られた被写体の読取情報の色域設定と上記読取情報を表示する表示部（３）の色域設定とを１回の色域設定で行うことができるとともに、一つの表示部（３）で、選択される多様な色域の読取情報を画質の劣化なく表示することができる。
2011074296.tif 000002
【特許請求の範囲】
【請求項１】
被写体を読み取る読取部と上記読取部によって読み取られた被写体の読取情報を表示する表示部とを備えた電子機器であって、
上記表示部は、上記表示部から出射される複数の異色の原色光の光量を調整することによって、上記表示部の色域を変えることができ、
上記表示部において表現できるいずれかの色域を、ユーザに選択させる色域選択部と、
上記色域選択部が上記ユーザに選択させた上記色域を、上記読取情報の色域として設定する第１色域設定部と、
上記色域選択部が上記ユーザに選択させた上記色域を、上記表示部が上記読取情報を表示する際の色域として設定する第２色域設定部とを備えていることを特徴とする電子機器。
【請求項２】
上記第１色域設定部が設定した色域の読取情報は、上記表示部に供給されることを特徴とする請求項１に記載の電子機器。
【請求項３】
上記色域選択部が上記ユーザに選択させる色域は、ｓＲＧＢ色域、ＡｄｏｂｅＲＧＢ色域およびＮＴＳＣ色域の何れか一つであることを特徴とする請求項１または２に記載の電子機器。
【請求項４】
上記色域選択部が上記ユーザに選択させる色域には、さらに、上記ユーザが設定可能な任意の色域も含まれていることを特徴とする請求項３に記載の電子機器。
【請求項５】
上記色域選択部が上記ユーザに選択させた色域の情報を上記第１色域設定部から受け取る色域情報受取部をさらに備えており、
上記色域情報受取部と上記第２色域設定部とは、上記表示部を備えた表示装置に設けられていることを特徴とする請求項１から４の何れか１項に記載の電子機器。
【請求項６】
上記表示部は、上記表示部から出射される原色光の光量を調整することによって、ホワイトバランスを変えることができ、
上記読取情報のホワイトバランスを、ユーザに選択させるホワイトバランス選択部と、
上記ホワイトバランス選択部が上記ユーザに選択させた上記ホワイトバランスを、上記読取情報のホワイトバランスとして設定する第１ホワイトバランス設定部と、
上記ホワイトバランス選択部が上記ユーザに選択させた上記ホワイトバランスを、上記表示部が上記読取情報を表示する際のホワイトバランスとして設定する第２ホワイトバランス設定部とを備えていることを特徴とする請求項１から５の何れか１項に記載の電子機器。
【請求項７】
上記第１ホワイトバランス設定部によって設定されたホワイトバランスの情報を上記第１ホワイトバランス設定部から受け取るホワイトバランス情報受取部をさらに備えており、
上記ホワイトバランス情報受取部と上記第２ホワイトバランス設定部とは、上記表示部を備えた表示装置に設けられていることを特徴とする請求項６に記載の電子機器。
【請求項８】
上記読取部は撮像部であることを特徴とする請求項１から７の何れか１項に記載の電子機器。
【請求項９】
上記表示部は、複数の異色の原色のカラーフィルターと、上記カラーフィルターへの照射光量を調整できる液晶層とを備えていることを特徴とする請求項１から８の何れか１項に記載の電子機器。
【請求項１０】
上記表示部は、複数の異色の原色光を出射する発光ダイオードを有するバックライトを備えていることを特徴とする請求項１から８の何れか１項に記載の電子機器。
【請求項１１】
上記表示部は、複数の異色の原色光を出射する発光層を備えていることを特徴とする請求項１から８の何れか１項に記載の電子機器。
【発明の詳細な説明】
【技術分野】
【０００１】
本発明は、被写体を読み取る読取部と、上記読取部によって読み取られた被写体の読取情報を表示する表示部とを備えた電子機器に関するものである。
【背景技術】
【０００２】
例えば、デジタルカメラ、カメラ付き携帯電話、スキャナなどの電子機器においては、被写体を読み取る読取部とともに、上記読取部によって読み取られた被写体の読取情報を確認するための表示部も一緒に備えられるのが一般的である。【０００３】
近年、上記電子機器の中でも特にデジタルカメラ分野においては、より高画質化を求める消費者の要求に伴い、読取部によって読み取られた被写体の読取情報を従来から一般的なモニタなどにおいて、標準的に採用されていた色域（色空間）の国際標準規格の一つであるｓＲＧＢ（Ｓｔａｎｄａｒｄ  ＲＧＢ）規格で取り扱えるだけでなく、上記ｓＲＧＢ規格よりも遥に広い色域を有し、印刷や色較正などでの適合性が高く、商業印刷などの分野において、標準的に用いられる色域の規格であるＡｄｏｂｅＲＧＢ規格でも取り扱えることができるようになっている。【０００４】
さらに、動画像も対応できる機種においては、ＮＴＳＣ規格でも取り扱えることができるようになっている。【０００５】
図４は、想定される全ての色を含む可視領域の色域とＡｄｏｂｅＲＧＢの色域とｓＲＧＢの色域とＮＴＳＣの色域とを示すｘｙ色度図である。【０００６】
馬蹄形の最も広い色域を示しているのが可視領域の色域であり、太い点線で最も狭い色域を示しているのがｓＲＧＢの色域である。【０００７】
一方、太い実線のＡｄｏｂｅＲＧＢの色域は、上記ｓＲＧＢの色域より広色域となっており、上記ｓＲＧＢの色域では表現できない色域までも表現できるようになっている。【０００８】
また、太い一点鎖線は、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）放送規格の色域を示す。【０００９】
従来においては、例えば、デジタルカメラ分野において、読取部（撮像部）によって読み取られた被写体の読取情報、上記読取情報を確認するための表示部および上記読取情報を印刷するプリンタなどが、全て同一の色域規格であるｓＲＧＢ規格に則って調整されていた。【００１０】
したがって、上記表示部に表示された上記被写体の画像と上記プリンタによって印刷された上記被写体とには、表現できる色域に差は殆どなく、問題になる程の画質の差異は生じていなかった。【００１１】
よって、上記表示部で上記被写体の画像を最終確認した後、上記プリンタでそのまま印刷することができていた。【００１２】
しかしながら、近年では、既に上述したように、特にデジタルカメラ分野においては、ｓＲＧＢ規格よりも遥に広い色域を有するＡｄｏｂｅＲＧＢ規格でも被写体の読取情報を取り扱えるようになって来ているが、上記読取情報を表示する表示部は、依然としてｓＲＧＢ規格のものが搭載される場合が多いのが現状である。【００１３】
一方で、上記読取情報を印刷するプリンタ分野においては、家庭用写真のプリンタなどにおいても既に、ｓＲＧＢ規格よりも遥に広い色域を表現できるものが市販されており、商業印刷などの分野においては、ＡｄｏｂｅＲＧＢ規格が標準的に用いられている。【００１４】
以上のように、読取部によって読み取られた被写体の読取情報、上記読取情報を確認するための表示部および上記読取情報を印刷するプリンタなどにおいて、その色域規格が一致しない場合は、以下のような問題が生じる。【００１５】
例えば、ＡｄｏｂｅＲＧＢ規格の被写体の読取情報をｓＲＧＢ規格を満たす表示部で表示する場合は、表現できない色域が存在するため、表示部に表示される被写体の画像は劣化されたものになってしまう。【００１６】
しかし、上記読取情報を印刷するプリンタが、例えば、ＡｄｏｂｅＲＧＢ規格となっている場合は、印刷物における上記被写体の劣化は、殆ど生じない。【００１７】
したがって、上記表示部に表示された上記被写体の画像と上記印刷物における上記被写体とには、表現できる色域の差に起因する画質の差異が生じることとなる。【００１８】
よって、このような場合においては、従来のように、上記表示部で上記被写体の画像を最終確認した後、そのまま印刷することは困難である。【００１９】
このような問題を改善するため、最近においては、ＡｄｏｂｅＲＧＢ規格を満たす表示部が搭載されるようになってきている。【００２０】
例えば、特許文献１には、ＡｄｏｂｅＲＧＢ規格を満たす表示部とｓＲＧＢ規格またはＡｄｏｂｅＲＧＢ規格からターゲット色域を選択できる撮像部とを備えた撮像装置について記載されている。【００２１】
上記撮像装置においては、上記ターゲット色域として、ＡｄｏｂｅＲＧＢの色域が選択された場合には、上記ターゲット色域と上記表示部の色域とが一致するので、ＡｄｏｂｅＲＧＢ色域の撮像データがそのまま、上記表示部に送られ表示されるようになっている。【００２２】
一方、上記ターゲット色域として、ｓＲＧＢの色域が選択された場合には、上記ターゲット色域と上記表示部の色域とが一致しないので、ｓＲＧＢ色域の撮像データをｓＲＧＢ色域の特性を備えた表示部に表示したときの色が、ＡｄｏｂｅＲＧＢ色域の特性を有する表示部上で近似的に見えるように、ｓＲＧＢ色域の撮像データをＡｄｏｂｅＲＧＢ色域に近似した撮像データに変換をしてから、上記表示部に送られ表示されるようになっている。【００２３】
上記構成によれば、選択されたターゲット色域に対する最終画像の色（色再現性）を、表示部に表示される表示画像から予測することができる。【００２４】
また、特許文献２には、多数の色再現範囲（色域）を有する色再現装置について記載されている。【００２５】
上記構成によれば、一つの色再現装置で、選択される多様な色域を有する入力色信号を再現することができる。
【先行技術文献】
【特許文献】
【００２６】
【特許文献１】日本国公開特許公報「特開２００８−２４５２４８号公報（２００８年１０月９日公開）」
【特許文献２】日本国公開特許公報「特開２００７−４１２９号公報（２００７年１月１１日公開）」
【発明の概要】
【発明が解決しようとする課題】
【００２７】
しかしながら、上記特許文献１に記載の表示部は、その色域がある一つの色域規格（ＡｄｏｂｅＲＧＢ規格）に固定されているため、表示部の色域を切り替える場合には、表示部自体を機械的に取り外して他の色域を有する表示部に交換する必要があるため、非常に手間が掛かるという問題がある。【００２８】
また、上記特許文献１の構成においては、表示部の色域情報をＣＰＵに送り、選択されたターゲット色域情報と比較するようになっているため、回路的に複雑になるという問題がある。【００２９】
また、図５は、上記特許文献２に記載の多数の色再現範囲（色域）を有する色再現装置（ＬＥＤ  Ｄｉｓｐｌａｙ装置）の概略構成を示す図である。【００３０】
図示されているように、上記色再現装置は、選択部１００、色座標変換部２００、色域調整部３００、格納部４００および駆動部５００を備えている。【００３１】
色座標変換部２００は、入力色信号が非線形色信号であれば、線形色信号に線形補正した後、装置独立的色域（ＣＩＥ−ＸＹＺ色域）の色座標に変換する。【００３２】
また、選択部１００によっては、色座標変換部２００で色座標値の変換された入力色信号が再現されるターゲット色域を選択するようになっている。【００３３】
色域調整部３００は、計算部３１０及び原色決定部３２０を備え、色再現装置のＤｉｓｐｌａｙ部（図示せず）の色域を選択部１００から選択されたターゲット色域に調整する。【００３４】
駆動部５００は、原色決定部３２０から再構成された原色に基づいて上記色再現装置の原色が調節されるよう色再現装置の光源（ＬＥＤ）の光量を調整する。この時、駆動部５００は、入力色信号が再構成された原色によって決定される色域に変換され出力されるよう光源（ＬＥＤ）の光量を調整する。この再構成された原色によって決定される色再現範囲にマッチングされるよう変換され出力される入力色信号は、色再現装置のＤｉｓｐｌａｙ部に再現される。【００３５】
なお、格納部４００には、色再現装置の光源（ＬＥＤ）の原色の色座標やターゲット色域の原色の色座標などが格納されている。【００３６】
以上のように上記色再現装置においては、選択部１００によっては、色再現装置のＤｉｓｐｌａｙ部の色域のみが選択される構成であるため、これとは別途に、入力色信号の色域の選択も必要となる。【００３７】
したがって、このような色再現装置を例えば、デジタルカメラに搭載した場合においては、上記入力色信号の色域の選択に該当する読取部（撮像部）によって読み取られた被写体の読取情報の色域設定と上記読取情報を確認するための表示部の色域設定とを独立的に行う必要がある。よって、合計２回の色域設定が必要であるため、デジタルカメラの使用者には、不便である。【００３８】
本発明は、上記の問題点に鑑みてなされたものであり、読取部によって読み取られた被写体の読取情報の色域設定と上記読取情報を表示する表示部の色域設定とを１回の色域設定で行うことができるとともに、一つの上記表示部で、選択される多様な色域の上記読取情報を画質の劣化なく表示することができる上記読取部と上記表示部とを備えた電子機器を提供することを目的とする。
【課題を解決するための手段】
【００３９】
本発明の電子機器は、上記の課題を解決するために、被写体を読み取る読取部と上記読取部によって読み取られた被写体の読取情報を表示する表示部とを備えた電子機器であって、上記表示部は、上記表示部から出射される複数の異色の原色光の光量を調整することによって、上記表示部の色域を変えることができ、上記表示部において表現できるいずれかの色域を、ユーザに選択させる色域選択部と、上記色域選択部が上記ユーザに選択させた上記色域を、上記読取情報の色域として設定する第１色域設定部と、上記色域選択部が上記ユーザに選択させた上記色域を、上記表示部が上記読取情報を表示する際の色域として設定する第２色域設定部とを備えていることを特徴としている。【００４０】
上記構成によれば、上記読取部によって読み取られた被写体の読取情報の色域を設定する第１色域設定部によって設定された色域が、上記読取情報を表示する表示部の色域を設定する第２色域設定部においても、そのまま上記表示部の色域として設定されるようになっている。【００４１】
すなわち、上記読取部によって読み取られた被写体の読取情報の色域を設定する第１色域設定部によって設定された色域に連動して上記表示部の色域も設定されるようになっている。【００４２】
したがって、このような構成を有するデジタルカメラや表示部付きスキャナのような読取部と上記読取部によって読み取られた被写体の読取情報を表示する表示部とを備えた電子機器においては、従来のように被写体の読取情報の色域設定と上記読取情報を確認するための表示部の色域設定とを独立的に２回行う必要がなくなり、上記電子機器使用者の不便性を改善することができる。【００４３】
さらには、上記第１色域設定部においては、上記表示部において表現できる色域の範囲内である色域が設定されるようになっているため、一つの上記表示部で、上記第１色域設定部によって設定される多様な色域の被写体の読取情報を画質の劣化なく表示することができる。
【発明の効果】
【００４４】
本発明の電子機器は、以上のように、上記表示部は、上記表示部から出射される複数の異色の原色光の光量を調整することによって、上記表示部の色域を変えることができ、上記表示部において表現できるいずれかの色域を、ユーザに選択させる色域選択部と、上記色域選択部が上記ユーザに選択させた上記色域を、上記読取情報の色域として設定する第１色域設定部と、上記色域選択部が上記ユーザに選択させた上記色域を、上記表示部が上記読取情報を表示する際の色域として設定する第２色域設定部とを備えている構成である。【００４５】
それゆえ、上記読取情報の色域設定と上記読取情報を表示する表示部の色域設定とを１回の色域設定で行うことができるとともに、一つの上記表示部で、選択される多様な色域の上記読取情報を画質の劣化なく表示することができる上記読取部と上記表示部とを備えた電子機器を実現することができる。
【図面の簡単な説明】
【００４６】
【図１】本発明の一実施の形態の撮像装置のブロック図である。
【図２】本発明の一実施の形態の撮像装置の概略構成を示す図である。
【図３】本発明の他の実施の形態の撮像装置のブロック図である。
【図４】可視領域の色域、ｓＲＧＢの色域、ＡｄｏｂｅＲＧＢの色域およびＮＴＳＣの色域を示すｘｙ色度図である。
【図５】従来の多数の色再現範囲を有する色再現装置のブロック図である。
【発明を実施するための形態】
【００４７】
以下、図面に基づいて本発明の実施の形態について詳しく説明する。ただし、この実施の形態に記載されている構成部品の寸法、材質、形状、その相対配置などはあくまで一実施形態に過ぎず、これらによってこの発明の範囲が限定解釈されるべきではない。
【００４８】
〔実施の形態１〕
以下、図２に基づき、本発明の電子機器の一例である撮像装置（デジタルカメラ）１の概略構成について説明する。
【００４９】
なお、本実施の形態においては、撮像装置１を用いて説明をするが、本発明の電子機器がこれに限定されることはなく、例えば、カメラ付き携帯電話や表示部付きスキャナなどのように被写体を読み取る読取部（撮像部）と、上記読取部によって読み取られた被写体の読取情報を表示する表示部とを備えた電子機器であれば様々な形態で具現化することができる。
【００５０】
撮像装置１には、図２に示す撮像装置１の表示部側とは反対側に設けられた撮影レンズとＣＣＤやＣＭＯＳなどの撮像素子とを備え被写体を撮像することができる撮像部２（未図示）と撮像部２によって読み取られた被写体の撮像情報を表示するカラー液晶表示装置からなる表示部３とファインダー４と撮影時の色域設定入力部５（色域選択部・第１色域設定部）とホワイトバランス設定入力部６（ホワイトバランス選択部・第１ホワイトバランス設定部）とシャッター１３とが備えられている。
【００５１】
図１は、ホワイトバランス設定機能を備えてない撮像装置１のブロック図である。以下、図１に基づいて、撮像装置１の各構成についてさらに詳しく説明する。
【００５２】
被写体に反射され撮像部２に備えられた撮影レンズを通ってきた光は、各種光学フィルタを通過し撮像素子に結像する。なお、本実施の形態においては、上記撮像素子としてＣＣＤを用いた。
【００５３】
さらに、上記撮像素子の受光面には光センサとして、例えば、フォトダイオードが設けられており、各光センサに対して、例えば、赤色、緑色、青色のカラーフィルタが所定の配列で配置されている。
【００５４】
さらに、撮像部２においては、上記撮像素子に結像された光は、上記光センサにおいて、その入射光量に応じた量の電荷に変換され蓄積され、水平駆動用ドライバおよび垂直駆動用ドライバを用いて上記撮像素子を駆動し、順次電圧信号に変換することができる。
【００５５】
また、上記電圧信号は、Ａ／Ｄコンバータでデジタル信号に変換され、被写体の撮像情報（読取情報・画像データ）となる。
【００５６】
一方、撮影時の色域設定入力部５は図２に図示されているように、選択キーの操作によりｓＲＧＢ色域またはＡｄｏｂｅＲＧＢ色域の何れかから選択するようになっている。
【００５７】
本実施の形態においては、撮影時の色域設定は、ｓＲＧＢ色域またはＡｄｏｂｅＲＧＢ色域の何れかから選択されるようになっているが、これに限定されることはなく、表示部３で表現できる色域内であれば、例えば、ＮＴＳＣの色域や撮像装置１のユーザが設定した色域（ユーザが設定可能な任意の色域）なども含めることができる。また、選択できる色域数も特に限定されない。
【００５８】
なお、本実施の形態においては、撮影時の色域設定を選択キーを用いて行うようにしているが、これに限定されることはなく、タッチパネルを備えた表示部３を設け、表示部３に色域選択画面を表示させ、表示部３を直接タッチして色域を選択できるようにしてもよい。
【００５９】
図示されているように、撮影時の色域設定入力部５で選択された色域情報は、撮像部２と撮影時の色域情報受取部７（色域情報受取部）とに送られるようになっている。
【００６０】
したがって、例えば、撮影時の色域設定入力部５でＡｄｏｂｅＲＧＢ色域が選択された場合は、撮像部２では、ＡｄｏｂｅＲＧＢ色域の撮像情報を生成し、表示部の駆動部１０に送るようになっている。
【００６１】
一方、ｓＲＧＢ色域が選択された場合には、撮像部２では、ｓＲＧＢ色域の撮像情報を生成し、表示部の駆動部１０に送るようになっている。
【００６２】
なお、本実施の形態においては、ユーザによって、撮影時の色域設定がなされなかった場合には、デフォルト（出荷時の初期設定）として例えば、ｓＲＧＢ色域が選択されるようになっている。
【００６３】
なお、本実施の形態においては、撮影時の色域設定入力部５が、ユーザが色域を選択できる色域選択部の機能と、上記ユーザに選択された上記色域を上記読取情報の色域として設定する第１色域設定部としての機能とを兼ねているが、これに限定されることはなく、撮影時の色域設定入力部５に、上記色域選択部の機能のみを持たせ、上記第１色域設定部の機能は他の箇所に設けることもできる。
【００６４】
また、撮影時の色域情報受取部７は、撮影時の色域設定入力部５から選択された色域情報を受け取り、表示部の色域設定入力部８（第２色域設定部）に送るようになっている。
【００６５】
表示部の色域設定入力部８では、撮影時の色域情報受取部７から送られてくる撮影時の色域設定入力部５で選択された色域情報に基づいて、表示部の色域を設定するようになっている。
【００６６】
例えば、撮影時の色域設定入力部５でｓＲＧＢ色域が選択された場合には、表示部の色域設定入力部８でもｓＲＧＢ色域が選択され、撮影時の色域設定入力部５でＡｄｏｂｅＲＧＢ色域が選択された場合には、表示部の色域設定入力部８でもＡｄｏｂｅＲＧＢ色域が選択されるようになっている。
【００６７】
すなわち、撮影時の色域設定入力部５と表示部の色域設定入力部８とは連動して色域設定を行うようになっている。
【００６８】
そして、表示部の色域設定入力部８で選択された色域情報は、表示部の色域設定制御部９に送られる。
【００６９】
なお、表示部３としては、複数の異色の原色光を出射する発光ダイオード（ＬＥＤ）を有するバックライトを備えた液晶表示装置を用いることができる。
【００７０】
本実施の形態においては、赤色ＬＥＤ、緑色ＬＥＤおよび青色ＬＥＤを有するバックライトを備えた液晶表示装置を表示部３として用いている。
【００７１】
上記液晶表示装置は、ｓＲＧＢ色域よりも広色域であるＡｄｏｂｅＲＧＢ色域を表現できるように、上記各色のＬＥＤの出射光量およびカラーフィルタが調整されている。
【００７２】
なお、必要に応じて、赤色ＬＥＤ、緑色ＬＥＤおよび青色ＬＥＤ以外に、補色ＬＥＤとして、シアン色ＬＥＤ、黄色ＬＥＤおよびマゼンタ色ＬＥＤを追加してもよい。
【００７３】
また、カラーフィルターにおいても、必要に応じて、赤色・緑色・青色カラーフィルター以外に、補色カラーフィルターとして、シアン色・黄色・マゼンタ色カラーフィルタを追加してもよい。
【００７４】
また、上記液晶表示装置において、ＡｄｏｂｅＲＧＢ色域とｓＲＧＢ色域との間の色域の変換は、上記各色のＬＥＤの出射光量を調整することで行うことができる。
【００７５】
上記各色のＬＥＤの出射光量の調整は、ＰＷＭ（Ｐｕｌｓｅ  Ｗｉｄｔｈ  Ｍｏｄｕｌａｔｉｏｎ）方式やＡＭ（Ａｍｐｌｉｔｕｄｅ  Ｍｏｄｕｌａｔｉｏｎ）方式で上記各色のＬＥＤを制御することで行うことができる。
【００７６】
なお、本実施の形態においては、ＡｄｏｂｅＲＧＢ色域とｓＲＧＢ色域との間の色域の変換を、上記各色のＬＥＤの出射光量を調整することで行っているが、これに限定されることはなく、上記各色のＬＥＤの出射光量をＡｄｏｂｅＲＧＢ色域に調整しておき、上記液晶表示装置に備えられた液晶表示パネルの液晶層に印加する電圧を調整し、赤色・緑色・青色カラーフィルターを透過する光量（カラーフィルターへの照射光量）を調整することによっても、ＡｄｏｂｅＲＧＢ色域とｓＲＧＢ色域との間の色域の変換を行うことができる。
【００７７】
なお、本実施の形態においては、表示部３として液晶表示装置が用いられているが、複数の異色の原色光を出射する発光層を備えた、例えば、有機ＥＬ表示装置を用いることもできる。
【００７８】
一方、表示部の色域設定制御部９には、図示されてないが、メモリが備えられており、表示部の色域設定入力部８で選択される色域（ｓＲＧＢ色域または、ＡｄｏｂｅＲＧＢ色域）毎に、上記液晶表示装置のバックライトに備えられた赤色ＬＥＤ、緑色ＬＥＤおよび青色ＬＥＤの出射光量の調整をして、ｓＲＧＢ色域または、ＡｄｏｂｅＲＧＢ色域の原色を生成できる上記各色ＬＥＤの出射光量に関するデータ（各色ＬＥＤの光量の混合比）がルックアップテーブル形式で格納されている。
【００７９】
なお、上記各色ＬＥＤの出射光量に関するデータ（各色ＬＥＤの光量の混合比）は、例えば、特許文献２（特開２００７−４１２９号公報）に記載されているように、上記液晶表示装置のバックライトに備えられた赤色ＬＥＤ、緑色ＬＥＤおよび青色ＬＥＤの色座標（表示部３の原色の色座標）およびホワイト３刺激値（Ｔｒｉｓｔｉｍｕｌｕｓ  Ｖａｌｕｅｓ）を用いた色彩系ディスプレイモデル（Ｃｏｌｏｒｉｍｅｔｒｉｃ  Ｄｉｓｐｌａｙ  Ｍｏｄｅｌ）と、ｓＲＧＢ色域または、ＡｄｏｂｅＲＧＢ色域における原色の色座標およびホワイト３刺激値を用いた色彩系ディスプレイモデルとを用いて算出することができる。
【００８０】
したがって、表示部の色域設定制御部９に備えられたメモリからは、表示部の色域設定入力部８で、例えば、ＡｄｏｂｅＲＧＢ色域が選択された場合、ＡｄｏｂｅＲＧＢ色域の原色を生成できる上記各色ＬＥＤの出射光量に関するデータ（各色ＬＥＤの光量の混合比）が表示部の駆動部１０のＬＥＤ制御回路に送られるようになっている。
【００８１】
表示部の駆動部１０は、上記液晶表示装置に備えられた液晶パネルに、撮像部２または、図示されてない撮像情報貯蔵用メモリから送られた撮像情報を表示するためのゲート駆動回路およびソース駆動回路を備えている。
【００８２】
さらに、表示部の駆動部１０には、上記液晶表示装置のバックライトに備えられた赤色ＬＥＤ、緑色ＬＥＤおよび青色ＬＥＤを制御するＬＥＤ制御回路が備えられている。
【００８３】
すなわち、上記各色ＬＥＤの出射光量に関するデータ（各色ＬＥＤの光量の混合比）は、表示部の駆動部１０におけるＬＥＤ制御回路に送られ、上記撮像情報は、表示部の駆動部１０におけるソース駆動回路に送られるようになっている。
【００８４】
表示部の駆動部１０から表示部３に、上記撮像情報およびＬＥＤ制御信号が送られ、上記撮像情報が表示部３の表示面に表示されるようになっている。
【００８５】
上記構成によれば、撮像装置１においては、従来のように撮像部２の色域設定と上記撮像情報を確認するための表示部３の色域設定とを独立的に２回行う必要がなくなり、撮像装置１の使用者の不便性を改善することができる。
【００８６】
さらには、撮影時の色域設定入力部５においては、表示部３において表現できる色域の範囲内である色域が選択されるようになっているため、一つの表示部３で、撮影時の色域設定入力部５によって選択される多様な色域の撮像情報を画質の劣化なく表示することができる。
【００８７】
すなわち、撮像装置１の使用者が想定する上記撮像情報の見栄えを表示部３における表示の見栄えに反映させることができる構成となっている。
【００８８】
また、上記構成によれば、上記撮像情報を表示部３で見ながら（Ｌｉｖｅ  Ｖｉｅｗ）、図２に図示した撮像装置１に備えられたシャッター１３を押し、表示部３に表示された撮像情報を図示されてない撮像情報貯蔵用メモリなどに格納することができる。
【００８９】
なお、図１に図示されているように、撮影時の色域設定入力部５はユーザ入力Ｉ／Ｆであり、表示部３はユーザ出力Ｉ／Ｆとなる。また、図１に示されたこの他の構成要素は、撮像装置１の内部処理部分となる。
【００９０】
また、本実施の形態においては、撮像装置１から取り外しが可能な表示装置１１には、表示部３、撮影時の色域情報受取部７、表示部の色域設定入力部８、表示部の色域設定制御部９および表示部の駆動部１０が備えられた構成となっている。
【００９１】
〔実施の形態２〕
次に、図３に基づいて、本発明の第２の実施の形態について説明する。本実施の形態は、撮影時の色域設定に連動して表示部３の色域設定が行われるのに加え、撮影時のホワイトバランス設定に連動して表示部３のホワイトバランスの設定も行われるという点において実施の形態１とは異なっており、その他の構成については実施の形態１において説明した通りである。説明の便宜上、上記の実施の形態１の図面に示した部材と同じ機能を有する部材については、同じ符号を付し、その説明を省略する。
【００９２】
図３は、ホワイトバランス設定機能を備えた撮像装置１ａのブロック図である。
【００９３】
図示されているように、撮影時の色域およびホワイトバランス設定入力部５ａは、図２に図示されている撮影時の色域設定入力部５で選択された色域の情報とホワイトバランス設定入力部６（ホワイトバランス選択部・第１ホワイトバランス設定部）で選択されたホワイトバランスの情報とを、撮像部２および撮影時の色域情報およびホワイトバランス情報受取部７ａに送るようになっている。
【００９４】
なお、本実施の形態においては、図２に示すホワイトバランス設定入力部６が、ユーザがホワイトバランスを選択できるホワイトバランス選択部の機能と、上記ユーザに選択された上記ホワイトバランスを上記読取情報の色域として設定する第１ホワイトバランス設定部としての機能とを兼ねているが、これに限定されることはなく、ホワイトバランス設定入力部６に、上記ホワイトバランス選択部の機能のみを持たせ、上記第１ホワイトバランス設定部の機能は他の箇所に設けることもできる。
【００９５】
ホワイトバランス設定入力部６は、例えば、太陽光モード、蛍光灯モードおよび電球モードなどから外光の状況に適合なモードを選択できるようになっている。
【００９６】
図３に図示されているように、撮影時の色域およびホワイトバランス設定入力部５ａで選択された色域とホワイトバランスの情報は、撮影時の色域情報およびホワイトバランス情報受取部７ａに送られる。
【００９７】
また、表示部の色域およびホワイトバランス設定入力部８ａ（第２ホワイトバランス設定部）は、撮影時の色域情報およびホワイトバランス情報受取部７ａから送られる色域とホワイトバランスの情報に基づいて、表示部３の色域とホワイトバランスとを設定するようになっている。
【００９８】
すなわち、撮影時の色域およびホワイトバランス設定入力部５ａで選択された色域およびホワイトバランスに連動して表示部の色域およびホワイトバランス設定入力部８ａで表示部３の色域とホワイトバランスとを設定するようになっている。
【００９９】
一方、表示部の色域およびホワイトバランス設定制御部９ａには、図示されてないが、メモリが備えられており、表示部の色域およびホワイトバランス設定入力部８ａで選択される色域およびホワイトバランス毎に、上記液晶表示装置のバックライトに備えられた赤色ＬＥＤ、緑色ＬＥＤおよび青色ＬＥＤの出射光量の調整をして、上記選択された色域の原色を生成できる上記各色ＬＥＤの出射光量に関するデータ（各色ＬＥＤの光量の混合比）と上記選択されたホワイトバランスに応じた白色の補正ができる上記各色ＬＥＤの出射光量に関するデータ（各色ＬＥＤの光量の混合比）とがルックアップテーブル形式で格納されている。
【０１００】
したがって、表示部の色域およびホワイトバランス設定制御部９ａに備えられたメモリからは、選択された色域の原色を生成できる上記各色ＬＥＤの出射光量に関するデータと選択されたホワイトバランスに応じた白色の補正ができる上記各色ＬＥＤの出射光量に関するデータとが表示部の駆動部１０のＬＥＤ制御回路に送られるようになっている。
【０１０１】
なお、撮影時の色域およびホワイトバランス設定入力部５ａから撮像部２には、撮影時の色域情報およびホワイトバランスの情報が送られ、撮像部２では、撮影時に選択された色域およびホワイトバランスの撮像情報が生成され、表示部の駆動部１０に送られるようになっている。
【０１０２】
上記構成によれば、撮像装置１ａにおいて、従来のように撮像部２の色域およびホワイトバランス設定と撮像部２によって読み取られた被写体の撮像情報を確認するための表示部３の色域およびホワイトバランス設定とを独立的に２回行う必要がなくなり、撮像装置１ａの使用者の不便性を改善することができる。
【０１０３】
なお、図３に図示されているように、撮影時の色域およびホワイトバランス設定入力部５ａはユーザ入力Ｉ／Ｆであり、表示部３はユーザ出力Ｉ／Ｆとなる。また、図３に示されたこの他の構成要素は、撮像装置１ａの内部処理部分となる。
【０１０４】
また、本実施の形態においては、撮像装置１ａから取り外しが可能な表示装置１１ａには、表示部３、撮影時の色域情報およびホワイトバランス情報受取部７ａ、表示部の色域およびホワイトバランス設定入力部８ａ、表示部の色域およびホワイトバランス設定制御部９ａおよび表示部の駆動部１０が備えられた構成となっている。
【０１０５】
本発明の電子機器において、上記第１色域設定部が設定した色域の読取情報は、上記表示部に供給されることが好ましい。
【０１０６】
上記構成によれば、上記第１色域設定部によって設定された上記読取部によって読み取られた被写体の読取情報の色域と上記第２色域設定部によって設定された上記表示部の色域とは、常に一致するようになっている。
【０１０７】
したがって、上記読取情報をそのまま上記表示部に供給することによって、上記第１色域設定部によって選択される多様な色域の被写体の読取情報を画質の劣化なく上記表示部に表示することができる。
【０１０８】
一方、従来においては、被写体の読取情報の色域と上記表示部の色域とは必ずしも一致しないので、上記読取情報を上記表示部の色域に合うように変換してから上記表示部に供給しなければならない場合も生じていた。
【０１０９】
本発明の電子機器において、上記色域選択部が上記ユーザに選択させる色域は、ｓＲＧＢ色域、ＡｄｏｂｅＲＧＢ色域およびＮＴＳＣ色域の何れか一つであることが好ましい。
【０１１０】
上記構成によれば、上記読取情報の色域と上記表示部の色域とは、従来から一般的なモニタなどにおいて、標準的に採用されていた色域の国際標準規格の一つであるｓＲＧＢ規格、上記ｓＲＧＢ規格よりも遥に広い色域を有し、印刷や色較正などでの適合性が高く、商業印刷などの分野において、標準的に用いられる色域の規格であるＡｄｏｂｅＲＧＢ規格および標準的な放送規格の色域の一つであるＮＴＳＣ規格の何れか一つで統一されている。
【０１１１】
したがって、ｓＲＧＢ色域、ＡｄｏｂｅＲＧＢ色域およびＮＴＳＣ色域中、何れか一つの色域を有する上記読取情報を一つの上記表示部に画質の劣化なく表示することができる。
【０１１２】
本発明の電子機器において、上記色域選択部が上記ユーザに選択させる色域には、さらに、上記ユーザが設定可能な任意の色域も含まれていることが好ましい。
【０１１３】
上記構成によれば、ユーザが任意の色域を設定することができるため、上記色域選択部が上記ユーザに選択させる色域に、ユーザが任意に設定した色域も含めることができる。
【０１１４】
したがって、より色域選択幅の広い電子機器を実現することができる。
【０１１５】
本発明の電子機器は、上記色域選択部が上記ユーザに選択させた色域の情報を上記第１色域設定部から受け取る色域情報受取部をさらに備えており、上記色域情報受取部と上記第２色域設定部とは、上記表示部を備えた表示装置に設けられていることが好ましい。
【０１１６】
本発明の電子機器において、上記表示部は、上記表示部から出射される原色光の光量を調整することによって、ホワイトバランスを変えることができ、上記読取情報のホワイトバランスを、ユーザに選択させるホワイトバランス選択部と、上記ホワイトバランス選択部が上記ユーザに選択させた上記ホワイトバランスを、上記読取情報のホワイトバランスとして設定する第１ホワイトバランス設定部と、上記ホワイトバランス選択部が上記ユーザに選択させた上記ホワイトバランスを、上記表示部が上記読取情報を表示する際のホワイトバランスとして設定する第２ホワイトバランス設定部とを備えていることが好ましい。
【０１１７】
上記構成によれば、上記読取情報のホワイトバランスを設定する第１ホワイトバランス設定部によって設定されたホワイトバランスが、上記読取情報を表示する表示部のホワイトバランスを設定する第２ホワイトバランス設定部においても、そのまま表示部のホワイトバランスとして設定されるようになっている。
【０１１８】
すなわち、上記読取情報のホワイトバランスを設定する第１ホワイトバランス設定部によって設定されたホワイトバランスに連動して上記表示部のホワイトバランスも設定されるようになっている。
【０１１９】
したがって、このような構成を有するデジタルカメラや表示部付きスキャナのような読取部と上記読取部によって読み取られた被写体の読取情報を表示する表示部とを備えた電子機器においては、従来のように上記読取情報のホワイトバランス設定と上記読取情報を確認するための表示部のホワイトバランス設定とを独立的に２回行う必要がなくなり、上記電子機器使用者の不便性を改善することができる。
【０１２０】
本発明の電子機器は、上記第１ホワイトバランス設定部によって設定されたホワイトバランスの情報を上記第１ホワイトバランス設定部から受け取るホワイトバランス情報受取部をさらに備えており、上記ホワイトバランス情報受取部と上記第２ホワイトバランス設定部とは、上記表示部を備えた表示装置に設けられていることが好ましい。
【０１２１】
本発明の電子機器において、上記読取部は撮像部であることが好ましい。
【０１２２】
上記構成によれば、上記読取部は、例えば、レンズとＣＣＤやＣＭＯＳなどの撮像素子とを備え、被写体を撮像することができる撮像部である。
【０１２３】
上記撮像部を備えた電子機器、例えば、デジタルカメラなどにおいては、撮像部によって読み取られた被写体の撮像情報をより広い色域である、例えば、ＡｄｏｂｅＲＧＢ色域に対応可能なプリンタなどを用いて印刷することが一般的になされる。
【０１２４】
したがって、上記構成によれば、撮像部によって読み取られた被写体の撮像情報を上記表示部で最終確認した後、上記プリンタでそのまま印刷することができる。
【０１２５】
本発明の電子機器において、上記表示部は、複数の異色の原色のカラーフィルターと、上記カラーフィルターへの照射光量を調整できる液晶層とを備えていることが好ましい。
【０１２６】
上記構成によれば、上記表示部として、複数の異色の原色のカラーフィルターと、上記カラーフィルターへの照射光量を調整できる液晶層とを備えた液晶表示パネルを用いることができる。
【０１２７】
本発明の電子機器において、上記表示部は、複数の異色の原色光を出射する発光ダイオードを有するバックライトを備えていることが好ましい。
【０１２８】
上記構成によれば、上記表示部として、例えば、複数の異色の原色光を出射する発光ダイオードを有するバックライトを備えている液晶表示装置を用いることができる。
【０１２９】
以上では、複数の異色の原色光を出射する発光ダイオードを有するバックライトを備えた表示装置の一例として液晶表示装置を挙げたが、これに限定されることはない。
【０１３０】
本発明の電子機器において、上記表示部は、複数の異色の原色光を出射する発光層を備えていることが好ましい。
【０１３１】
上記構成によれば、上記表示部として、例えば、複数の異色の原色光を出射する発光層を備えた有機ＥＬ表示装置を用いることができる。
【０１３２】
以上では、複数の異色の原色光を出射する発光層を備えた表示装置の一例として有機ＥＬ表示装置を挙げたが、これに限定されることはない。
【０１３３】
本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１３４】
本発明は、被写体を読み取る読取部と、上記読取部によって読み取られた被写体の読取情報を表示する表示部とを備えた電子機器に適用することができる。
【符号の説明】
【０１３５】
１、１ａ      撮像装置（電子機器）
２            撮像部（読取部）
３            表示部
５            撮影時の色域設定入力部（色域選択部・第１色域設定部）
６            ホワイトバランス設定入力部
７            撮影時の色域情報受取部（色域情報受取部）
７ａ          撮影時の色域情報およびホワイトバランス情報受取部
８            表示部の色域設定入力部（第２色域設定部）
８ａ          表示部の色域およびホワイトバランス設定入力部
１０          表示部の駆動部
１１、１１ａ  表示装置
【図１】
2011074296.tif 000003
【図２】
2011074296.tif 000004
【図３】
2011074296.tif 000005
【図４】
2011074296.tif 000006
【図５】
2011074296.tif 000007
【国際調査報告】
2011074296.tif 000008
2011074296.tif 000009
2011074296.tif 000010
2011074296.tif 000011
2011074296.tif 000012